(57)【要約】【課題】組立性に優れ、高精度な露光処理を実現することができるラインヘッドを提供すること、また、安価で、高品位な画像を得ることができる画像形成装置を提供すること。【解決手段】ラインヘッド１３は、光透過性を有する基板７１と、基板７１の一方の面側に第１の方向に配列された複数の発光素子７２と、基板７１の他方の面に、光透過性を有する板状のスペーサ１７を介して接合され、発光素子７２からの光を結像するレンズアレイ１６と、スペーサ１７を基板７１側とは反対側から覆うように設けられた支持部材６とを有し、スペーサ１７の第１の方向に垂直または略垂直な第２の方向での幅は、基板７１の第２の方向での幅以上であり、基板７１の第２の方向での端がスペーサ１７の第２の方向での端よりも外側に突出しないように構成されている。【選択図】図２
2010194717.tif 000002
【特許請求の範囲】
【請求項１】
光透過性を有する基板と、
前記基板の一方の面の第１の方向に配設された発光素子と、
前記基板の前記一方の面と対向する他方の面に接合され、光透過性を有するスペーサと、
前記スペーサの前記基板側の面と対向する面に接合され、前記発光素子からの光を結像する結像光学系と、
前記スペーサを前記基板側の面と対向する面を覆うように設けられ、前記結像光学系が挿通される開口部を備えるとともに前記基板を支持する遮光性の支持部材とを有し、
前記スペーサの前記第１の方向に垂直な第２の方向の幅は、前記基板の前記第２の方向の幅以上であり、
前記基板の前記第２の方向の一方の端が前記スペーサの前記第２の方向の該一方の端よりも外側に突出しないように構成されていることを特徴とするラインヘッド。
【請求項２】
前記基板の前記一方の面から前記第２の方向に引き出されるように設けられた配線部を有する請求項１に記載のラインヘッド。
【請求項３】
前記カバー部材は、前記スペーサの前記基板側の面とは反対側の面に密着している請求項１または２に記載のラインヘッド。
【請求項４】
前記カバー部材は、前記スペーサの前記一方の面に垂直もしくは略垂直な側面に密着している請求項１ないし３のいずれか１項に記載のラインヘッド。
【請求項５】
潜像が形成される潜像担持体と、
前記潜像担持体を露光するラインヘッドと、を有し、
前記ラインヘッドは、
光透過性を有する基板と、
前記基板の一方の面の第１の方向に配設された発光素子と、
前記基板の前記一方の面と対向する他方の面に接合され、光透過性を有するスペーサと、
前記スペーサの前記基板側の面と対向する面に接合され、前記発光素子からの光を結像する結像光学系と、
前記スペーサを前記基板側の面と対向する面を覆うように設けられ、前記結像光学系が挿通される開口部を備えるとともに前記基板を支持する遮光性の支持部材とを有し、
前記スペーサの前記第１の方向に垂直な第２の方向の幅は、前記基板の前記第２の方向の幅以上であり、
前記基板の前記第２の方向の一方の端が前記スペーサの前記第２の方向の該一方の端よりも外側に突出しないように構成されていることを特徴とする画像形成装置。
【発明の詳細な説明】
【技術分野】
【０００１】
本発明は、ラインヘッドおよびそれを有する画像形成装置に関する。
【背景技術】
【０００２】
電子写真方式を用いる複写機、プリンター等の画像形成装置には、筒状の感光体の外表面を露光処理して静電潜像を形成する露光手段が備えられている。かかる露光手段としては、感光体の軸線方向（主走査方向）に複数の発光素子を配列した構造を有するラインヘッドが知られている（例えば、特許文献１参照）。
例えば、特許文献１に開示されたラインヘッドでは、ガラス基板の一方の面上に発光素子としてボトムエミッション型の有機ＥＬ素子が複数設けられ、そのガラス基板の他方の面上に光透過性の屈折率層を介してＳＬアレイ（レンズアレイ）が設けられている。そして、上記のガラス基板、有機ＥＬ素子および屈折率層は、ヘッドケース内に収納され、上記のＳＬアレイは、このヘッドケースに形成された開口部に配置される。
【０００３】
このようなラインヘッドでは、有機ＥＬ素子からの光がガラス基板および屈折率層を透過しＳＬアレイにより集光（結像）されるが、ＳＬアレイとガラス基板との間に介在した屈折率層の屈折率を空気の屈折率より高めることで、有機ＥＬ素子からＳＬアレイへの光の取り込み量を増加させることができる。
また、このようなラインヘッドでは、遮光性を有するヘッドケースにより屈折率層が覆われているため、有機ＥＬ素子からＳＬアレイに入射しなかった光が外部に漏れるのを防止することができる。その結果、不要光による感光体の露光を防止することができる。
【０００４】
しかしながら、特許文献１にかかるラインヘッドでは、ガラス基板の幅が屈折率層の幅よりも大きく、ガラス基板の幅方向での端部が屈折率層の端から突出しているため、その突出部分の機械的強度が低いものとなってしまう。そのため、ガラス基板等をヘッドケース内に設置する際等（組立時）に、ガラス基板の突出部分の欠けや割れ等が生じる場合があった。
【先行技術文献】
【特許文献】
【０００５】
【特許文献１】特開２００６−２０５３８４号公報
【発明の概要】
【発明が解決しようとする課題】
【０００６】
本発明の目的は、組立性に優れ、高精度な露光処理を実現することができるラインヘッドを提供すること、また、高品位な画像を得ることができる画像形成装置を提供することにある。
【課題を解決するための手段】
【０００７】
このような目的は、下記の本発明により達成される。
本発明のラインヘッドは、光透過性を有する基板と、
前記基板の一方の面の第１の方向に配設された発光素子と、
前記基板の前記一方の面と対向する他方の面に接合され、光透過性を有するスペーサと、
前記スペーサの前記基板側の面と対向する面に接合され、前記発光素子からの光を結像する結像光学系と、
前記スペーサを前記基板側の面と対向する面を覆うように設けられ、前記結像光学系が挿通される開口部を備えるとともに前記基板を支持する遮光性の支持部材とを有し、
前記スペーサの前記第１の方向に垂直な第２の方向の幅は、前記基板の前記第２の方向の幅以上であり、
前記基板の前記第２の方向の一方の端が前記スペーサの前記第２の方向の該一方の端よりも外側に突出しないように構成されていることを特徴とする。
【０００８】
本発明のラインヘッドでは、前記基板の前記一方の面から前記第２の方向に引き出されるように設けられた配線部を有することが好ましい。
本発明のラインヘッドでは、前記カバー部材は、前記スペーサの前記基板側の面とは反対側の面に密着していることが好ましい。
本発明のラインヘッドでは、前記カバー部材は、前記スペーサの前記一方の面に垂直もしくは略垂直な側面に密着していることが好ましい。
【０００９】
本発明の画像形成装置は、潜像が形成される潜像担持体と、
前記潜像担持体を露光するラインヘッドと、を有し、
前記ラインヘッドは、
光透過性を有する基板と、
前記基板の一方の面の第１の方向に配設された発光素子と、
前記基板の前記一方の面と対向する他方の面に接合され、光透過性を有するスペーサと、
前記スペーサの前記基板側の面と対向する面に接合され、前記発光素子からの光を結像する結像光学系と、
前記スペーサを前記基板側の面と対向する面を覆うように設けられ、前記結像光学系が挿通される開口部を備えるとともに前記基板を支持する遮光性の支持部材とを有し、
前記スペーサの前記第１の方向に垂直な第２の方向の幅は、前記基板の前記第２の方向の幅以上であり、
前記基板の前記第２の方向の一方の端が前記スペーサの前記第２の方向の該一方の端よりも外側に突出しないように構成されていることを特徴とする。
【００１０】
以上のような構成を有する本発明のラインヘッドによれば、組立性に優れ、幅が狭く、高精度な露光処理を実現することができる。また、本発明の画像形成装置によれば、安価で、高品位な画像を得ることができる。
【図面の簡単な説明】
【００１１】
【図１】本発明の第１実施形態にかかる画像形成装置の全体構成を示す概略図である。
【図２】図１に示す画像形成装置に備えられたラインヘッドの横断面図である。
【図３】図２に示すラインヘッドに備えられた発光素子の概略構成を示す断面図である。
【図４】図２に示すラインヘッドの制御系の構成を示す図である。
【図５】図４に示す制御系の変形例を説明するための図である。
【図６】本発明の第２実施形態にかかるラインヘッドの横断面図である。
【発明を実施するための形態】
【００１２】
以下、本発明のラインヘッドおよび画像形成装置を添付図面に示す好適な実施形態に基づいて詳細に説明する。
＜第１実施形態＞
図１は、本発明の第１実施形態にかかる画像形成装置の全体構成を示す概略図、図２は、図１に示す画像形成装置に備えられたラインヘッドの横断面図、図３は、図２に示すラインヘッドに備えられた発光素子の概略構成を示す断面図、図４は、図２に示すラインヘッドの制御系の構成を示す図、図５は、図４に示す制御系の変形例を説明するための図である。なお、以下では、説明の便宜上、図１〜図３中の上側を「上」、下側を「下」と言う。
【００１３】
（画像形成装置）
図１に示す画像形成装置１は、帯電工程・露光工程・現像工程・転写工程・定着工程を含む一連の画像形成プロセスによって画像を記録媒体Ｐに記録する電子写真方式のプリンターである。本実施形態では、画像形成装置１は、いわゆるタンデム方式を採用するカラープリンタである。
このような画像形成装置１は、図１に示すように、帯電工程・露光工程・現像工程のための画像形成ユニット１０と、転写工程のための転写ユニット２０と、定着工程のための定着ユニット３０と、紙などの記録媒体Ｐを搬送するための搬送機構４０と、この搬送機構４０に記録媒体Ｐを供給する給紙ユニット５０とを有している。
【００１４】
画像形成ユニット１０は、イエローのトナー像を形成する画像形成ステーション１０Ｙと、マゼンタのトナー像を形成する画像形成ステーション１０Ｍと、シアンのトナー像を形成する画像形成ステーション１０Ｃと、ブラックのトナー像を形成する画像形成ステーション１０Ｋとの４つの画像形成ステーションを備えている。
各画像形成ステーション１０Ｙ、１０Ｃ、１０Ｍ、１０Ｋは、静電的な潜像を担持する潜像担持体である感光ドラム（感光体）１１を有し、その周囲（外周側）には、帯電ユニット１２、ラインヘッド（露光ユニット）１３、現像装置１４、クリーニングユニット１５が配設されている。ここで、各画像形成ステーション１０Ｙ、１０Ｃ、１０Ｍ、１０Ｋは、用いるトナーの色が異なる以外は、ほぼ同じ構成である。
【００１５】
感光ドラム１１は、全体形状が円筒状をなし、その軸線まわりに図１中矢印方向に回転可能となっている。そして、感光ドラム１１の外周面（円筒面）付近には、感光層（図示せず）が設けられている。このような感光ドラム１１の外周面は、ラインヘッド１３からの光Ｌ（出射光）を受光する受光面１１１を有している（図２参照）。
帯電ユニット１２は、コロナ帯電などにより感光ドラム１１の受光面１１１を一様に帯電させるものである。
【００１６】
ラインヘッド１３は、図示しないパーソナルコンピュータなどのホストコンピュータから画像情報を受け、これに応じて、感光ドラム１１の受光面１１１に向けて光Ｌを照射するものである。一様に帯電された感光ドラム１１の受光面１１１に光Ｌが照射されると、その光Ｌの照射パターンに対応した潜像（静電潜像）が受光面１１１上に形成される。なお、ラインヘッド１３の構成については、後に詳述する。
【００１７】
現像装置１４は、トナーを貯留する貯留部（図示せず）を有しており、当該貯留部から、感光ドラム１１の受光面１１１にトナーを供給し、付与する。静電的な潜像が形成された受光面１１１にトナーが付与されると、当該潜像がトナー像として可視化（現像）される。
クリーニングユニット１５は、感光ドラム１１の受光面１１１に当接するゴム製のクリーニングブレード１５１を有し、後述する一次転写後の感光ドラム１１上に残存するトナーをクリーニングブレード１５１により掻き落として除去するようになっている。
【００１８】
転写ユニット２０は、前述したような各画像形成ステーション１０Ｙ、１０Ｍ、１０Ｃ、１０Ｋの感光ドラム１１上に形成された各色のトナー像を一括して記録媒体Ｐに転写するようになっている。
各画像形成ステーション１０Ｙ、１０Ｃ、１０Ｍ、１０Ｋでは、感光ドラム１１が１回転する間に、帯電ユニット１２による感光ドラム１１の受光面１１１の帯電と、ラインヘッド１３による受光面１１１の露光と、現像装置１４による受光面１１１へのトナーの供給と、後述する一次転写ローラ２２による中間転写ベルト２１へのトナー像の一次転写と、クリーニングユニット１５による受光面１１１のクリーニングとが順次行なわれる。
【００１９】
転写ユニット２０は、エンドレスベルト状の中間転写ベルト２１を有し、この中間転写ベルト２１は、複数（図１に示す構成では４つ）の一次転写ローラ２２と駆動ローラ２３と従動ローラ２４とで張架されており、駆動ローラ２３の回転により、図１に示す矢印方向に、感光ドラム１１の周速度とほぼ同じ周速度で回転駆動される。
各一次転写ローラ２２は、対応する感光ドラム１１に中間転写ベルト２１を介して対向配設されており、感光ドラム１１上の単色のトナー像を中間転写ベルト２１に転写（一次転写）するようになっている。この一次転写ローラ２２は、一次転写時に、トナーの帯電極性とは逆の極性の一次転写電圧（一次転写バイアス）が印加される。
【００２０】
中間転写ベルト２１上には、イエロー、マゼンタ、シアン、ブラックのうちの少なくとも１色のトナー像が担持される。例えば、フルカラー画像の形成時には、中間転写ベルト２１上に、イエロー、マゼンタ、シアン、ブラックの４色のトナー像が順次重ねて転写されて、フルカラーのトナー像が中間転写像として形成される。
また、転写ユニット２０は、中間転写ベルト２１を介して駆動ローラ２３に対向配設される二次転写ローラ２５と、中間転写ベルト２１を介して従動ローラ２４に対向配設されるクリーニングユニット２６とを有している。
【００２１】
二次転写ローラ２５は、中間転写ベルト２１上に形成された単色あるいはフルカラーなどのトナー像（中間転写像）を、給紙ユニット５０から供給される紙、フィルム、布等の記録媒体Ｐに転写（二次転写）するようになっている。二次転写ローラ２５は、二次転写時に、中間転写ベルト２１に押圧されるとともに二次転写電圧（二次転写バイアス）が印加される。このような二次転写時には、駆動ローラ２３は、二次転写ローラ２５のバックアップローラとしても機能する。
【００２２】
クリーニングユニット２６は、中間転写ベルト２１の表面に当接するゴム製のクリーニングブレード２６１を有し、二次転写後の中間転写ベルト２１上に残存するトナーをクリーニングブレード２６１により掻き落として除去するようになっている。
定着ユニット３０は、定着ローラ３０１と、定着ローラ３０１に圧接される加圧ローラ３０２とを有しており、定着ローラ３０１と加圧ローラ３０２との間を記録媒体Ｐが通過するよう構成されている。また、定着ローラ３０１の内側には、当該定着ローラ３０１の外周面を加熱するヒータが内蔵されている。このような構成の定着ユニット３０では、トナー像の二次転写を受けた記録媒体Ｐが定着ローラ３０１と加圧ローラ３０２との間を通過しながら加熱および加圧されることにより、トナー像を記録媒体Ｐに融着させて永久像として定着させる。
【００２３】
搬送機構４０は、前述した二次転写ローラ２５と中間転写ベルト２１との間の二次転写部へ給紙タイミングを計りつつ記録媒体Ｐを搬送するレジストローラ対４１と、定着ユニット３０での定着処理済みの記録媒体Ｐを挟持搬送する搬送ローラ対４２、４３、４４とを有している。
このような搬送機構４０は、記録媒体Ｐの一方の面のみに画像形成を行う場合には、定着ユニット３０によって一方の面に定着処理された記録媒体Ｐを搬送ローラ対４２により挟持搬送して、画像形成装置１の外部へ排出する。また、記録媒体Ｐの両面に画像形成する場合には、定着ユニット３０によって一方の面に定着処理された記録媒体Ｐを一旦搬送ローラ対４２により挟持した後に、搬送ローラ対４２を反転駆動するとともに、搬送ローラ対４３、４４を駆動して、当該記録媒体Ｐを表裏反転してレジストローラ対４１へ帰還させ、前述と同様の動作により、記録媒体Ｐの他方の面に画像を形成する。
給紙ユニット５０は、未使用の記録媒体Ｐを収容する給紙カセット５１と、給紙カセット５１から記録媒体Ｐを１枚ずつレジストローラ対４１へ向け給送するピックアップローラ５２とを備えている。
【００２４】
（ラインヘッド）
次に、ラインヘッド１３について説明する。
ラインヘッド１３は、感光ドラム１１の外周面（より具体的には受光面１１１）に対向して配設されている（図１および図２参照）。
このラインヘッド１３は、図２に示すように、支持部材６と、発光基板ユニット７と、を有しており、図示しないが、後述のとおり、発光基板ユニット７には、発光素子７２を駆動する回路を制御する制御基板が接続されている。
このようなラインヘッド１３では、発光基板ユニット７から出射した光Ｌがスペーサ１７およびレンズアレイ１６を透過して、感光ドラム１１の受光面１１１に照射される。
【００２５】
以下、ラインヘッド１３を構成する各部を順次詳細に説明する。なお、以下では、説明の便宜上、発光基板ユニット７の基板７１の長手方向（第１の方向）を「主走査方向」、幅方向（第２の方向）を「副走査方向」と言う。
支持部材６は、長尺状（長手形状）をなし、感光ドラム１１の軸線方向（主走査方向）に沿うように設置されている。
この支持部材６は、図２に示すように、基板搭載部６１と、１対の脚部６２とを有し、支持部材６の横断面形状は、略Ｕ字状をなしている。
【００２６】
基板搭載部６１は、図２に示す横断面（後述する基板７１の長手方向に垂直な断面）にて、基板７１の板面に沿うように設けられている。
基板搭載部６１は、長尺板状をなし、その一方の面側（図２にて下側）には、後述する発光基板ユニット７の基板７１が搭載されている。そして、基板搭載部６１は、後述するスペーサ１７を介して基板７１を固定・支持している。
また、基板搭載部６１には、各発光素子７２の光軸方向に貫通する開口部６１１が形成されており、その開口部６１１を介してレンズアレイ１６が支持部材６の内外を貫通するように設けられている。
【００２７】
１対の脚部６２は、基板搭載部６１の幅方向（副走査方向）での両端部から基板７１側へ延びている。すなわち、１対の脚部６２は、基板搭載部６１の幅方向での両端部（すなわち短手方向での両端部）から下方に延びている。これにより、支持部材６の内側に、発光基板ユニット７が設けられている。
このような支持部材６は、例えば金属材料で構成されている場合、電磁シールド性を有し、後述する駆動回路８２１や配線ユニット９の一部を覆うように配設されている。これにより、駆動回路８２１および配線ユニット９の一部と外部との間での電磁気的悪影響を防止することができる。その結果、ラインヘッド１３の露光特性を高めることができる。
【００２８】
また、支持部材６は、その横断面が前述したように略Ｕ字状をなすように構成することで、比較的簡単な構成で、支持部材６の剛性を優れたものとすることができる。さらに、基板搭載部６１で基板７１を支持することで、基板７１を安定的に支持し、安定した露光処理を行うことができる。特に、基板搭載部６１は、その平面度が高いため、基板７１の平面度を高い状態で維持することができる。
また、支持部材６は、金属板を折り曲げ加工したものである場合、比較的簡単かつ安価に得ることができる。
また、支持部材６は、各発光素子７２から後述するレンズアレイ１６へ入射しなかった光が外部に漏れるのを防止する機能（遮光性）を有する。
【００２９】
特に、支持部材６は、スペーサ１７の基板７１側とは反対側の面に密着している。これにより、支持部材６と、スペーサ１７の基板７１側とは反対側の面との間に空気層が形成されるのを防止することができる。その結果、発光素子７２からスペーサ１７に入射した光がスペーサ１７の基板７１側とは反対側の面で反射するのを防止することができる。そのため、不要光（ゴースト光）がレンズアレイ１６から出射されるのを防止し、高精度な露光処理を実現することができる。
【００３０】
さらに、支持部材６は、スペーサ１７の側面に密着している。これにより、支持部材６とスペーサ１７の側面との間に空気層が形成されるのを防止することができる。その結果、発光素子７２からスペーサ１７に入射した光がスペーサ１７の側面で反射するのを防止することができる。そのため、不要光（ゴースト光）がレンズアレイ１６から出射されるのを防止し、高精度な露光処理を実現することができる。
【００３１】
このように、本実施形態では、支持部材６とスペーサ１７との間に空気層がほとんど存在しないため、不要光（ゴースト光）がレンズアレイ１６から出射されるのをより確実に防止し、極めて高精度な露光処理を実現することができる。
支持部材６の構成材料としては、特に限定されず、各種金属材料（特に軟磁性材料）を用いることができるが、鉄、ステンレス鋼、アルミニウム合金等が好適に用いられる。
このようにして支持部材６は、発光基板ユニット７を支持している。
【００３２】
発光基板ユニット７は、長尺状をなす基板７１と、基板７１の一方の面側にその長手方向に沿って配列された複数の発光素子７２と、複数の発光素子７２を覆う封止部材７３とを備えている。
基板７１は、各発光素子７２を支持するもの（基板）であり、外形が長尺状をなす板状体で構成されている。
【００３３】
この基板７１は、ガラス材料で構成されている。すなわち、基板７１は、ガラス基板である。ガラス基板は、絶縁性および光透過性を有する。そのため、基板７１がガラス基板であると、比較的簡単かつ安価に、基板７１上に発光素子７２として有機エレクトロルミネッセンス素子を形成することができる。また、後述するようにボトムエミッション構造の各発光素子７２からの光Ｌを基板７１を介して出射することができる。また、ガラス基板はその平面度が比較的高いため、基板７１にガラス基板を用いることにより、発光素子７２とレンズアレイ１６との間の距離のバラツキを低減し、レンズアレイ１６が感光ドラム１１の受光面１１１に対し高精度に光Ｌを結像することができる。
また、基板７１をガラス材料で構成することにより、各発光素子７２の発光により生じる熱を基板７１を介して支持部材６等へ効率良く放熱することができる。
【００３４】
このような基板７１には、一方の面（図２にて下側の面）に、複数の発光素子７２および封止部材７３が接合されている。
複数の発光素子７２は、基板７１上にその長手方向（主走査方向）に沿って配列されている。また、各発光素子７２は、その光軸が基板７１の板面に略直交するように設置されている。
【００３５】
各発光素子７２は、有機ＥＬ素子（有機エレクトロルミネッセンス素子）で構成されている。
より具体的に説明すると、各発光素子７２は、図３に示すように、陽極７２２と、陽極７２２上に設けられた有機半導体層７２３と、有機半導体層７２３上に設けられた陰極７２４とを備え、これらが基板７１上に設けられている。
また、本実施形態では、有機半導体層７２３は、陽極７２２側から陰極７２４側へ、正孔輸送層７２６、発光層７２７および電子輸送層７２８の順で積層された複数の層で構成される積層体となっている。
【００３６】
このような発光素子７２では、陽極７２２と陰極７２４との間に直流電圧が印加されると、これにより、発光層７２７において、電子輸送層７２８を介して輸送された電子と、正孔輸送層７２６を介して輸送された正孔とが再結合し、この再結合に際して放出されたエネルギーによりエキシトン（励起子）が生成し、エキシトンが基底状態に戻る際にエネルギーが光Ｌ（蛍光やりん光）として放出される。これにより、発光素子７２（発光層７２７）が発光する。
本実施形態では、この発光素子７２は、発光層７２７からの光Ｌを陽極７２２側に取り出して利用するボトムエミッション構造の素子となっている。
【００３７】
陽極７２２は、有機半導体層７２３（後述する正孔輸送層７２６）に正孔を注入する電極である。この陽極７２２の構成材料としては、特に限定されないが、例えば、ＩＴＯ（Ｉｎｄｉｕｍ  Ｔｉｎ  Ｏｘｉｄｅ）、ＳｎＯ２、Ｓｂ含有ＳｎＯ２、Ａｌ含有ＺｎＯ等の酸化物、Ａｕ、Ｐｔ、Ａｇ、Ｃｕまたはこれらを含む合金等が挙げられ、これらのうちの少なくとも１種を用いることができる。
【００３８】
陰極７２４は、有機半導体層７２３（後述する電子輸送層７２８）に電子を注入する電極である。また、この陰極７２４は、陰極７２４側に漏れた光Ｌを陽極７２２側に反射する反射膜としての機能も有している。これにより、レンズアレイ１６側に向かう光Ｌの光量をより多く確保することができる。
陰極７２４の構成材料としては、Ｌｉ、Ｍｇ、Ｃａ、Ｓｒ、Ｌａ、Ｃｅ、Ｅｒ、Ｅｕ、Ｓｃ、Ｙ、Ｙｂ、Ａｇ、Ｃｕ、Ａｌ、Ｃｓ、Ｒｂまたはこれらを含む合金等が挙げられ、これらのうちの少なくとも１種を用いることができる。
陽極７２２と陰極７２４との間には、有機半導体層７２３が設けられている。有機半導体層７２３は、前述したように、正孔輸送層７２６と、発光層７２７と、電子輸送層７２８とを備え、これらがこの順で陽極７２２上に積層されている。
【００３９】
正孔輸送層７２６は、陽極７２２から注入された正孔を発光層７２７まで輸送する機能を有するものである。
正孔輸送層７２６の構成材料（正孔輸送材料）は、正孔輸送能力を有するものであれば、いかなるものであってもよいが、共役系の化合物であるのが好ましい。共役系の化合物は、その特有な電子雲の広がりによる性質上、極めて円滑に正孔を輸送できるため、正孔輸送能力に特に優れる。
【００４０】
このような正孔輸送材料としては、例えば、１，１−ビス（４−ジ−パラ−トリアミノフェニル）シクロへキサンのようなアリールシクロアルカン系化合物、４，４’，４’’−トリメチルトリフェニルアミンのようなアリールアミン系化合物、Ｎ，Ｎ，Ｎ’，Ｎ’−テトラフェニル−パラ−フェニレンジアミンのようなフェニレンジアミン系化合物、トリアゾールのようなトリアゾール系化合物、イミダゾールのようなイミダゾール系化合物、１，３，４−オキサジアゾールのようなオキサジアゾール系化合物、アントラセンのようなアントラセン系化合物、フルオレノンのようなフルオレノン系化合物、ポリアニリンのようなアニリン系化合物、フタロシアニンのようなフタロシアニン系化合物等が挙げられ、これらのうちの１種または２種以上を組み合わせて用いることができる。
【００４１】
電子輸送層７２８は、陰極７２４から注入された電子を発光層７２７まで輸送する機能を有するものである。
電子輸送層７２８の構成材料（電子輸送材料）としては、例えば、１，３，５−トリス［（３−フェニル−６−トリ−フルオロメチル）キノキサリン−２−イル］ベンゼン（ＴＰＱ１）のようなベンゼン系化合物（スターバースト系化合物）、ナフタレンのようなナフタレン系化合物、フェナントレンのようなフェナントレン系化合物、クリセンのようなクリセン系化合物、ペリレンのようなペリレン系化合物、アントラセンのようなアントラセン系化合物、オキサジアゾールのようなオキサジアゾール系化合物、トリアゾールのようなトリアゾール系化合物等が挙げられ、これらのうちの１種または２種以上を組み合わせて用いることができる。
また、発光層７２７としては、電圧印加時に陽極７２２側から正孔を、また、陰極７２４側から電子を注入することができ、正孔と電子が再結合する場を提供できる構成材料により構成されるものであれば、いかなるものであってもよい。
【００４２】
このような発光層７２７の構成材料（発光材料）としては、１，３，５−トリス［（３−フェニル−６−トリ−フルオロメチル）キノキサリン−２−イル］ベンゼン（ＴＰＱ１）、１，３，５−トリス［｛３−（４−ｔ−ブチルフェニル）−６−トリスフルオロメチル｝キノキサリン−２−イル］ベンゼン（ＴＰＱ２）のようなベンゼン系化合物、フタロシアニン、銅フタロシアニン（ＣｕＰｃ）、鉄フタロシアニンのような金属または無金属のフタロシアニン系化合物、トリス（８−ヒドロキシキノリノレート）アルミニウム（Ａｌｑ３）、ファクトリス（２−フェニルピリジン）イリジウム（Ｉｒ（ｐｐｙ）３）のような低分子系のものや、オキサジアゾール系高分子、トリアゾール系高分子、カルバゾール系高分子のような高分子系のものが挙げられ、これらの１種または２種以上を組み合わせて、目的とする発光色を有する光Ｌを得ることができる。
【００４３】
本実施形態では、各発光素子７２がいずれも赤色光を発光するように構成されている。ここで、赤色光を発光する発光層７２７としては、例えば、（４−ジシアノメチレン）−２−メチル−６−（パラジメチルアミノスチリル）−４Ｈ−ピラン（ＤＣＭ）およびナイルレッド等が挙げられる。なお、各発光素子７２は、赤色光を発光するよう構成されているのに限定されず、他の色の単色光や白色光を発光するよう構成されていてもよい。このように、有機ＥＬ素子では、発光層７２７の構成材料に応じて当該発光層７２７が発する光Ｌを任意の色の単色光に適宜設定することができる。
ただし、一般に電子写真プロセスに用いられる感光ドラム（感光体）の分光感度特性は、半導体レーザーの発光波長である赤色から近赤外の領域でピークを持つように設定されているので、上記のように赤色の発光材料を利用することが好ましい。
【００４４】
このような有機ＥＬ素子（有機エレクトロルミネッセンス素子）で各発光素子７２がそれぞれ構成されていると、発光素子７２同士の間隔（ピッチ）を比較的小さく設定することができる。言い換えると、基板７１の幅方向（副走査方向）での発光素子７２の数を抑えながら、基板７１の長手方向（主走査方向）での発光素子７２の配置密度を高めることができる。これにより、画像を記録媒体Ｐに記録した際、その記録媒体Ｐに対する記録密度が比較的高くなる。よって、より鮮明な画像が担持された記録媒体Ｐが得られる。
【００４５】
また、有機ＥＬ素子で各発光素子７２が構成されていると、発光素子７２を形成する際に、発光素子７２と一括して、発光素子７２を駆動するための駆動回路の一部を構成するＴＦＴや配線等を基板７１上に形成することができる。
なお、各発光素子７２の外周側には、それぞれ、光Ｌの広がりを防止するためのリフレクタのような光路調整部材を設けてもよい。
また、以上に述べた有機ＥＬ素子の材料あるいは層構成は、代表的な例を示したものであり、他の材料、層構成であっても同様に本発明の作用・効果は得られる。
【００４６】
このような各発光素子７２とともに基板７１の一方の面側に設けられた封止部材７３は、図２に示すように、凹部７３１が形成され、その凹部７３１の周縁部が接着剤等により基板７１に接合されている。そして、凹部７３１内に複数の発光素子７２が納められている。これにより、封止部材７３は、複数の発光素子７２を覆っている。
封止部材７３は、ガスバリア性を有し、封止部材７３と基板７１とは気密的に接合されている。これにより、各発光素子７２を構成する各部を水分や酸素などを含む雰囲気ガスから遮断し当該各部の酸化や劣化を防止することができる。また、各発光素子７２等に異物が付着するのを防止することもできる。
封止部材７３の凹部７３１内には、乾燥剤および／または脱酸素剤が設けられているのが好ましい。これにより、各発光素子７２を構成する各部の酸化や劣化をより確実に防止することができる。
【００４７】
乾燥剤としては、凹部７３１内で吸湿効果を発揮するものであれば、特に限定されることはなく種々のものが使用可能であり、例えば酸化ナトリウム（Ｎａ2Ｏ）、酸化カリウム（Ｋ2Ｏ）、酸化カルシウム（ＣａＯ）、酸化バリウム（ＢａＯ）、酸化マグネシウム（ＭｇＯ）、硫酸リチウム（Ｌｉ2ＳＯ4）、硫酸ナトリウム（Ｎａ2ＳＯ4）、硫酸カルシウム（ＣａＳＯ4）、硫酸マグネシウム（ＭｇＳＯ4）、硫酸コバルト（ＣｏＳＯ4）、硫酸ガリウム（Ｇａ2（ＳＯ4）3）、硫酸チタン（Ｔｉ（ＳＯ4）2）、硫酸ニッケル（ＮｉＳＯ4）、塩化カルシウム（ＣａＣｌ2）、塩化マグネシウム（ＭｇＣｌ2）、塩化ストロンチウム（ＳｒＣｌ2）、塩化イットリウム（ＹＣｌ3）、塩化銅（ＣｕＣｌ2）、フッ化セシウム（ＣｓＦ）、フッ化タンタル（ＴａＦ5）、フッ化ニオブ（ＮｂＦ5）、臭化カルシウム（ＣａＢｒ2）、臭化セリウム（ＣｅＢｒ3）、臭化セレン（ＳｅＢｒ4）、臭化バナジウム（ＶＢｒ2）、臭化マグネシウム（ＭｇＢｒ2）、ヨウ化バリウム（ＢａＩ2）、ヨウ化マグネシウム（ＭｇＩ2）、過塩素酸バリウム（Ｂａ（ＣｌＯ4）2）、過塩素酸マグネシウム（Ｍｇ（ＣｌＯ4）2）等が挙げられる。
また、脱酸素剤としては、活性炭、シリカゲル、活性アルミナ、モレキュラーシーブ、酸化マグネシウム、酸化鉄、酸化チタン等が挙げられる。
【００４８】
この封止部材７３の構成材料としては、特に限定されず、ステンレス、アルミニウムまたはその合金等の金属材料、ソーダ石灰ガラス、珪酸塩ガラス等のガラス材料、アクリル系樹脂、スチレン系樹脂等の樹脂材料等を用いることができるが、ガラス材料が好適に用いられる。封止部材７３と基板７１とをともにガラス材料で構成することで、これらの間の線膨張係数差による変形、損傷等の不具合を防止することができる。
【００４９】
一方、基板７１の他方の面（図２にて上側の面）は、スペーサ１７を介してレンズアレイ１６が接合されている。
レンズアレイ１６は、発光基板ユニット７の光Ｌの出射側に設けられている。このレンズアレイ１６は、前述した発光素子７２からの光を結像する結像光学系である。
図２に示すレンズアレイ１６は、２列で主走査方向に俵積みするように多数配列された多数の屈折率分布型のロッドレンズ１６１を有している。
各ロッドレンズ１６１は、その光軸が基板７１の厚さ方向となるように設置されている。また、各ロッドレンズ１６１は、例えば、光透過性を有する樹脂材料および／またはガラス材料で構成されている。
【００５０】
スペーサ１７は、基板７１とレンズアレイ１６との間に設けられ、レンズアレイ１６を基板７１に対して支持するとともに、基板７１とレンズアレイ１６との間の光路長を規定するものである。このスペーサ１７は、板状をなし、例えば、光透過性を有する樹脂材料および／またはガラス材料で構成されている。このようなスペーサ１７を設けることで、スペーサ１７の厚さに応じて各発光素子７２とレンズアレイ１６との間の距離を調整することができる。その結果、比較的簡単な構成で、高精度な露光処理を実現することができる。
【００５１】
また、スペーサ１７は、光透過性基板であり、レンズアレイ１６がスペーサ１７に接合・支持されている。これにより、各発光素子７２とレンズアレイ１６との間の距離を簡単かつ正確に規定することができる。
【００５２】
また、スペーサ１７は、板状をなすものであるため、各発光素子７２とレンズアレイ１６との間の距離、および、基板７１と支持部材６との間に距離を高精度でかつ安定的に規定することができる。
また、スペーサ１７は、基板７１に接合されている。これにより、スペーサ１７を基板７１に対して安定的に支持することができる。その結果、スペーサ１７がレンズアレイ１６を基板７１に対してより安定的に支持することができる。
【００５３】
特に、図２に示すように、スペーサ１７の副走査方向（第１の方向に垂直または略垂直な第２の方向）での幅ＷＳは、基板７１の副走査方向での幅ＷＢよりも大きい。
そして、基板７１の副走査方向での端がスペーサ１７の副走査方向での端よりも外側に突出しないように構成されている。
これにより、基板７１の幅方向での端部がスペーサ１７により補強され、当該端部の機械的強度が増す。そのため、ラインヘッド１３の組立時に基板７１の幅方向での端部の欠けや割れ等を防止することができる。
【００５４】
また、スペーサ１７の主走査方向（第１の方向）での幅が基板７１の主走査方向での幅よりも大きく、基板７１の主走査方向での端がスペーサ１７の主走査方向での端よりも外側に突出しないように構成されているのが好ましい。すなわち、スペーサ１７は、平面視したときに、基板７１を含むように構成されているのが好ましい。これにより、基板７１の主走査方向での端部の割れ・欠けを防止することもできる。
【００５５】
また、前述したように、スペーサ１７の基板７１側とは反対側の面は、遮光性を有する支持部材６に密着している。また、スペーサ１７Ａの側面も、支持部材６に密着している。したがって、本実施形態では、支持部材６とスペーサ１７との間に空気層が存在しないため、スペーサ１７の側面や上面での反射に起因する不要光（ゴースト光）がレンズアレイ１６から出射されるのをより確実に防止し、極めて高精度な露光処理を実現することができる。
前述した発光基板ユニット７には、配線ユニット９を介して後述する制御回路８２２が電気的に接続されている。
【００５６】
ここで、図４ないし図５に基づいて、ラインヘッド１３の制御系を説明する。
図４に示すように、ラインヘッド１３は、回路部８２を有している。そして、回路部８２は、各発光素子７２を駆動するための駆動回路８２１と、この駆動回路８２１の作動を制御する制御回路８２２とを備える。
駆動回路８２１は、前述した各発光素子７２を駆動するためのものである。
本実施形態では、駆動回路８２１は、ゲート電圧保持型の複数の定電流駆動回路８３と、選択スイッチ８４と、ドライバＩＣ８５とを備えている。
【００５７】
各定電流駆動回路８３は、定電流トランジスタ８３１と、電圧保持コンデンサ８３２と、選択トランジスタ８３３とを有している。
このような各定電流駆動回路８３では、選択トランジスタ８３３がオンされると、後述するドライバＩＣ８５の出力電圧に応じた定電流が定電流トランジスタ８３１を通じて発光素子７２に流れ、発光素子７２が発光する。また、ドライバＩＣ８５の出力電圧が電圧保持コンデンサ８３２に保持されることで、選択トランジスタ８３３がオフされても、発光素子７２に電流が流れ続け、発光素子７２の発光が維持される。
選択スイッチ８４は、制御回路８２２からのｓｅｌｅｃｔ信号により切り替えられ、所定のブロックごとに、定電流駆動回路８３を選択する。この選択スイッチ８４を切り替えることで、所定ブロックごとに各発光素子７２に通電する電圧を設定することができる。
【００５８】
ドライバＩＣ８５は、シフトレジスタ８５１と、ラッチ回路８５２と、ＤＡＣ８５３（Ｄ／Ａコンバータ）とを備えている。
このようなドライバＩＣ８５では、制御回路８２２からシフトレジスタ８５１に、ｓｔａｒｔパルス信号（ｓｔａｒｔ）をトリガにして、クロック信号（ＣＬＫ）に同期したデータ信号（ＤＡＴＡ）が送られる。一方、ラッチ回路８５２には制御回路８２２からＬａｔｃｈ信号（Ｌａｔｃｈ）が送られ、シフトレジスタ８５１でデータ信号が所定タイミングで揃うように、データ信号がラッチされる。そして、データ信号（デジタル信号）が所定タイミングで揃えられた状態でＤＡＣ８５３に送られ、ＤＡＣ８５３は前述した定電流駆動回路８３（選択トランジスタ８３３）に所定の電圧信号（アナログ信号）を出力する。
【００５９】
なお、前述した駆動回路８２１は、アクティブ型の駆動回路であるが、この駆動回路８２１に代えて、例えば、図５に示すようなパッシブ型の駆動回路８２１Ａを用いてもよい。この駆動回路８２１Ａでは、定電流タイプのドライバＩＣ８５Ａを用い、選択スイッチ８４Ａは、制御回路８２２からのｓｅｌｅｃｔ信号により切り替えられ、所定のブロックごとに、発光素子７２を選択する。
ここで、複数の定電流駆動回路８３および選択スイッチ８４は、前述した基板７１上に設けられた回路部である。また、ドライバＩＣ８５は、後述する配線ユニット９上に設けられた半導体素子である。
【００６０】
以上説明したような駆動回路８２１は、制御回路８２２により制御される。
制御回路８２２は、駆動回路８２１の作動を制御するものである。この制御回路８２２は、後述するプリンタコントローラ１８からの信号に基づき、駆動回路８２１の作動を制御する。
このような制御回路８２２は、インターフェース回路８６と、複数（本実施形態では２つ）のデータ制御回路８７と、補正値メモリ８８とを備えている。
【００６１】
インターフェース回路８６は、画像形成装置１本体（ラインヘッド１３の外部）に備えられたプリンタコントローラ１８から信号を受け取るものである。本実施形態では、インターフェース回路８６は、図４に示すように、ＬＶＤＳ（Low voltage differential signaling）を用いた受信回路で構成されており、プリンタコントローラ１８から、タイミングクロックとともに、データ線に展開されたデータを受け取り、各データ制御回路８７に分配する。
データ制御回路８７は、インターフェース回路８６からのデータを補正値メモリ８８の補正データに基づいて、各発光素子７２の発光量が最適となるように補正し、補正後のデータを制御信号とともに前述したドライバＩＣ８５（シフトレジスタ８５１）に送る。
【００６２】
プリンタコントローラ１８は、各発光素子７２の駆動制御のための信号を制御回路８２２に送信する機能を有するものである。本実施形態では、プリンタコントローラ１８は、ラインヘッド１３の駆動制御のためのヘッド制御部１８１と、このヘッド制御部１８１からの信号を前述したインターフェース回路８６に送信するための送信回路１８２とを備えている。また、プリンタコントローラ１８は、画像形成装置１の各部を制御する機能をも有する。
このような制御系（回路部８２）により各発光素子７２の駆動が制御される。なお、上述した制御系の構成は、一例であり、これに限定されるものではない。
このような回路部８２は、各発光素子７２に電気的に接続されている。
【００６３】
配線ユニット９は、基板７１の下面（一方の面）から副走査方向に引き出されるように設けられている。
この配線ユニット９は、前述した発光基板ユニット７上の回路部と、発光基板ユニット７の外部の回路部（以下、「外部回路」とも言う）とを電気的に接続する配線を備えるもの（配線部）である。
本実施形態では、配線ユニット９は、複数のフレキシブルプリント基板（ＦＰＣ）で構成されている。これにより、基板７１に対する外部回路の設置の自由度を高めることができる。なお、配線ユニット９は、単数のフレキシブルプリント基板（ＦＰＣ）で構成されていてもよい。
【００６４】
配線ユニット９（フレキシブルプリント基板）は、図２に示すように、基板７１の幅方向での一端部に固定されている。これにより、ラインヘッド１３の長手方向での寸法を短くする（長尺化を防止する）ことができる。このようなラインヘッド１３を用いることで、画像形成装置１の小型化（主走査方向での寸法の小型化）を図ることができる。
このような配線ユニット９の配線の一端は、基板７１上の配線に対し異方性導電接着剤（ＡＣＦ）等を用いて接続されている。
【００６５】
ここで、配線ユニット９の配線の一端は、基板７１の下面の副走査方向での端部に接続されている。前述したように、基板７１の副走査方向での端部はスペーサ１７により補強されているので、ラインヘッド１３の組立時などに、配線ユニット９に外力が与えられても、基板７１の副走査方向での端部の割れ・欠けを防止することができる。
また、本実施形態では、スペーサ１７の副走査方向での一端部（図２にて左側の端部）が基板７１の端よりも外側に突出している。これにより、ラインヘッド１３の組立時などに、配線ユニット９に外力が与えられるのを防止（他の物体との接触を防止）し、配線ユニット９が基板７１から剥がれるのを防止することができる。
【００６６】
以上説明したようなラインヘッド１３によれば、スペーサ１７の副走査方向での幅ＷＳが基板７１の副走査方向での幅ＷＢよりも大きく、基板７１の副走査方向での端がスペーサ１７の副走査方向での端よりも外側に突出しないように構成されているので、基板７１の幅方向での端部がスペーサ１７により補強され、当該端部の機械的強度が増す。そのため、ラインヘッド１３の組立時に基板７１の幅方向での端部の欠けや割れ等を防止することができる。
【００６７】
特に、スペーサ１７の副走査方向での一端部（基板７１と配線ユニット９との接続側の端部）が基板７１の端よりも外側に突出している。これにより、ラインヘッド１３の組立時などに、配線ユニット９に外力が与えられるのを防止（他の物体との接触を防止）し、配線ユニット９が基板７１から剥がれるのを防止することができる。
また、基板７１およびスペーサ１７が支持部材６内に収納されているので、発光素子７２からレンズアレイ１６に入射しなかった光が外部に漏れるのを防止することができる。
このようにして、ラインヘッド１３は、組立性に優れ、高精度な露光処理を実現することができる。また、このようなラインヘッド１３を備える画像形成装置１は、安価で、高品位な画像を得ることができる。
【００６８】
＜第２実施形態＞
次に、本発明の第２実施形態について説明する。
図６は、本発明の第２実施形態にかかるラインヘッドの横断面である。
以下、第２実施形態のラインヘッドについて、前述した第１実施形態との相違点を中心に説明し、同様の事項については、その説明を省略する。
本実施形態のラインヘッド１３Ａは、スペーサおよび支持部材の構成が異なる以外は、前述した第１実施形態のラインヘッド１３と同様である。
【００６９】
本実施形態のラインヘッド１３Ａでは、図６に示すように、基板７１とレンズアレイ１６との間に介在するスペーサ１７Ａと、このスペーサ１７Ａの上面側を覆うように設けられた支持部材６Ａとを有している。
本実施形態では、スペーサ１７Ａの副走査方向での幅ＷＳが基板７１の副走査方向での幅ＷＢとほぼ等しく、かつ、基板７１の副走査方向での端がスペーサ１７Ａの副走査方向での端よりも外側に突出しないように構成されている。
これにより、基板７１の幅方向での端部がスペーサ１７Ａにより補強され、当該端部の機械的強度が増す。そのため、ラインヘッド１３Ａの組立時に基板７１の幅方向での端部の欠けや割れ等を防止することができる。
【００７０】
また、支持部材６Ａは、その内部空間の副走査方向での幅を拡げるように段差部６３が設けられている。
このような段差部６３を設けることにより、組立時等に、配線ユニット９の基板７１付近の屈曲部と支持部材６Ａとの接触を防止することができる。その結果、配線ユニット９が基板７１から剥がれるのを防止することができる。
【００７１】
以上、本発明のラインヘッドおよび画像形成装置を図示の実施形態について説明したが、本発明は、これに限定されるものではなく、ラインヘッドおよび画像形成装置を構成する各部は、同様の機能を発揮し得る任意の構成のものと置換することができる。また、任意の構成物が付加されていてもよい。
また、レンズアレイは、複数のレンズが２行ｎ列の行列状に配置さているのに限定されず、例えば、３行ｎ列、４行ｎ列等の行列状に配置されていてもよい。
【００７２】
また、レンズアレイとして、マイクロレンズが多数配列されたマイクロレンズアレイを用いることもできる。
また、前述した実施形態では、説明の便宜上、発光素子が１行ｎ列に配列したものを説明したが、これに限定されるものではなく、発光素子が２行ｎ列、３行ｎ列等の行列状に配列されていてもよい。
【符号の説明】
【００７３】
１…画像形成装置  ６、６Ａ…支持部材  ６１…基板搭載部  ６１１…開口部  ６２…脚部  ６３…段差部  ７…発光基板ユニット  ７１…基板  ７２…発光素子  ７３…封止部材  ７２２…陽極  ７２３…有機半導体層  ７２４…陰極  ７２６…正孔輸送層  ７２７…発光層  ７２８…電子輸送層  ８…回路基板ユニット  ８１…第２の基板  ８２…回路部  ８２１、８２１Ａ…駆動回路  ８２２…制御回路  ８３…定電流駆動回路  ８３１…定電流トランジスタ  ８３２…電圧保持コンデンサ  ８３３…選択トランジスタ  ８４、８４Ａ…選択スイッチ  ８５、８５Ａ…ドライバＩＣ  ８５１…シフトレジスタ  ８５２…ラッチ回路  ８５３…ＤＡＣ  ８６…インターフェース回路  ８７…データ制御回路  ８８…補正値メモリ  ９…配線ユニット  ９１、９２…折り返し部  １０…画像形成ユニット  １０Ｃ、１０Ｋ、１０Ｍ、１０Ｙ…画像形成ステーション  １１…感光ドラム（潜像担持体）  １１１…受光面  １２…帯電ユニット  １３、１３Ａ…ラインヘッド（露光ユニット）  １４…現像装置  １５…クリーニングユニット  １５１…クリーニングブレード  １６…レンズアレイ  １６１…ロッドレンズ  １７、１７Ａ…スペーサ  １８１…ヘッド制御部  １８２…送信回路  ２０…転写ユニット  ２１…中間転写ベルト  ２２…一次転写ローラ  ２３…駆動ローラ  ２４…従動ローラ  ２５…二次転写ローラ  ２６…クリーニングユニット  ２６１…クリーニングブレード  ３０…定着ユニット  ３０１…定着ローラ  ３０２…加圧ローラ  ４０…搬送機構  ４１…レジストローラ対  ４２、４３、４４…搬送ローラ対  ５０…給紙ユニット  ５１…給紙カセット  ５２…ピックアップローラ  １８…プリンタコントローラ  ７３１…凹部  Ｐ…記録媒体  Ｌ…光
【図１】
2010194717.tif 000003
【図２】
2010194717.tif 000004
【図３】
2010194717.tif 000005
【図４】
2010194717.tif 000006
【図５】
2010194717.tif 000007
【図６】
2010194717.tif 000008